(57)【要約】【課題】バリアングルモニタ部を開く操作に対し、タイミングに応じてユーザーが所望する表示内容を表示することを可能にした撮像装置を提供する。【解決手段】デジタルカメラ１００は、撮像素子２１０を備えた本体部１０５に開閉可能に連結されたバリアングルモニタ部１２０に備えられた表示部１０１と、バリアングルモニタ部１２０の本体部１０５に対する位置を検知するバリアングル状態検知部２１０と、バリアングルモニタ部１２０が表示部１０１の表示面１２１が本体部１０５と対向する閉位置から開いた位置へ変化したことが検知された場合に、直前の撮影からの経過時間が所定時間以上であれば最新画像を表示部１０１に表示せず、所定時間未満である場合は最新画像を表示部１０１に表示するように制御するシステム制御部２０８を有する。【選択図】図４
2014230084.tif 000002
【特許請求の範囲】
【請求項１】
撮像手段を備えた本体部に対して開閉可能に連結されたモニタ部に備えられた表示手段と、
前記モニタ部の前記本体部に対する位置を検知するモニタ位置検知手段と、
前記モニタ位置検知手段により、前記モニタ部が、前記表示手段の表示面が前記本体部と対向する閉位置から開いた位置へ変化したことが検知された場合に、直前の撮影からの経過時間が所定時間以上であれば直前に撮影された最新画像を前記表示手段に表示せず、前記直前の撮影からの経過時間が前記所定時間未満である場合は前記最新画像を前記表示手段に表示するように制御する表示制御手段と、
を有することを特徴とする撮像装置。
【請求項２】
前記直前の撮影からの経過時間は、半押しされると撮影準備指示を行い全押しされると撮影指示を行うことができるシャッターボタンが全押しされてからの経過時間であることを特徴とする請求項１に記載の撮像装置。
【請求項３】
前記直前の撮影からの経過時間は、直前の静止画撮影の露光終了からの経過時間であることを特徴とする請求項１に記載の撮像装置。
【請求項４】
接眼ファインダーと、前記接眼ファインダーへの物体の接近を検出する接近検知手段と、撮像手段とを備えた本体部に対して開閉可能に連結されたモニタ部に備えられた表示手段と、
前記モニタ部の前記本体部に対する位置を検知するモニタ位置検知手段と、
前記モニタ位置検知手段により、前記モニタ部が、前記表示手段の表示面が前記本体部と対向する閉位置から開いた位置へ変化したことが検知され、かつ前記接近検知手段が前記接眼ファインダーへの物体の接近を検出していない場合において、前記接近検知手段が前記接眼ファインダーに物体が接近していた状態から接近していない状態になったことが直前に検出されてからの経過時間が所定時間以上である場合には直前に撮影された最新画像を前記表示手段に表示せず、前記経過時間が前記所定時間未満であれば前記最新画像を前記表示手段に表示するように制御する表示制御手段と、
を有することを特徴とする撮像装置。
【請求項５】
前記表示制御手段は、前記閉位置において撮影が行われていない場合には、前記表示手段の表示面が前記本体部と対向する閉位置から開いた位置へ変化したことが検知されても、前記経過時間に関わらず前記最新画像は表示しないことを特徴とする請求項１から４のいずれか１項に記載の撮像装置。
【請求項６】
前記表示制御手段は、表示手段が表示可能な状態において撮影後に自動的に撮影済み画像を表示するクイックレビュー機能がＯＮに設定されている場合には、前記最新画像の表示の開始から所定時間が経過した後に前記最新画像の表示を終了することを特徴とする請求項１から４のいずれか１項に記載の撮像装置。
【請求項７】
前記所定時間は、前記クイックレビュー機能において前記最新画像の表示時間として設定された時間であることを特徴とする請求項６に記載の撮像装置。
【請求項８】
前記表示制御手段は、表示手段が表示可能な状態において撮影後に自動的に撮影済み画像を表示するクイックレビュー機能がＯＦＦに設定されている場合には、撮影した画像を表示する再生モードに移行して前記表示を行うことを特徴とする請求項１から５のいずれか１項に記載の撮像装置。
【請求項９】
前記モニタ位置検知手段により前記モニタ部が前記本体に対して閉じた位置から開いた位置に遷移したことが検知され、かつ、前記直前の撮影からの経過時間が前記所定時間以上であった場合には、前記表示制御手段は、前記最新画像とは異なる第２の表示を行うことを特徴とする請求項１から５のいずれか１項に記載の撮像装置。
【請求項１０】
前記第２の表示は、ライブビュー表示であることを特徴とする請求項９に記載の撮像装置。
【請求項１１】
前記第２の表示は、撮影設定メニュー画面の表示であることを特徴とする請求項９に記載の撮像装置。
【請求項１２】
前記表示制御手段は、前記モニタ部が半開位置にある場合には前記第２の表示として前記撮影設定メニュー画面を表示し、前記モニタ部が前記半開位置から全開位置に遷移した場合には前記撮影設定メニュー画面とは異なる第３の表示を行うことを特徴とする請求項１１に記載の撮像装置。
【請求項１３】
前記第３の表示はライブビュー表示であることを特徴とする請求項１２に記載の撮像装置。
【請求項１４】
撮像手段を備えた本体部に対して開閉可能に連結されたモニタ部に備えられた表示手段を有する撮像装置の制御方法であって、
直前の撮影からの経過時間の計時を行うステップと、
前記モニタ部の前記本体部に対する位置を検知するステップと、
前記モニタ部が、前記表示手段の表示面が前記本体部と対向する閉位置から開いた位置へ変化したことが検知された場合において、直前の撮影からの経過時間が所定時間以上であれば直前に撮影された最新画像を前記表示手段に表示せず、前記直前の撮影からの経過時間が前記所定時間未満である場合は前記最新画像を前記表示手段に表示するステップと、
を有することを特徴とする撮像装置の制御方法。
【請求項１５】
撮像手段を備えた本体部に対して開閉可能に連結されたモニタ部に備えられた表示手段と、接眼ファインダーと、を有する撮像装置の制御方法であって、
前記接眼ファインダーに物体が接近したか否かを検出するステップと、
直前の撮影からの経過時間の計時を行うステップと、
前記モニタ部の前記本体部に対する位置を検知するステップと、
前記モニタ部が、前記表示手段の表示面が前記本体部と対向する閉位置から開いた位置へ変化したことが検知され、かつ前記接眼ファインダーへの物体の接近が検出されない場合において、前記接眼ファインダーに物体が接近していた状態から接近していない状態になったことが直前に検出されてからの経過時間が所定時間以上である場合には直前に撮影された最新画像を前記表示手段に表示せず、前記経過時間が前記所定時間未満であれば前記最新画像を前記表示手段に表示するステップと、
を有することを特徴とする撮像装置の制御方法。
【請求項１６】
コンピュータを、請求項１から１３のいずれか１項に記載された撮像装置の各手段として機能させることを特徴とするプログラム。
【請求項１７】
コンピュータを、請求項１から１３のいずれか１項に記載された撮像装置の各手段として機能させるプログラムを格納したことを特徴とするコンピュータが読み取り可能な記憶媒体。
【発明の詳細な説明】
【技術分野】
【０００１】
本発明は撮像装置、撮像装置の制御方法、プログラムおよび記憶媒体に関する。特に、バリアングル機構を有する表示装置を備えた撮像装置と、この撮像装置の制御方法、この撮像装置の制御に用いられるプログラム、このプログラムが格納された記憶媒体に関するものである。
【背景技術】
【０００２】
近年、接眼ファインダーと被写体構図の決定および撮像により取得された画像の確認用として、背面に表示装置を備えた撮像装置が増えている。また、撮像装置を構えた体勢に合わせて自由に表示装置の角度を変えられるバリアングル機構を有する表示装置を備えたものもある。特許文献１には、バリアングルモニタ部の位置に応じて静止画撮影モードと動画撮影モードを切り替える撮像装置が開示されている。
一方、撮影の直後に、撮影したばかりの画像を自動的に所定時間確認表示する、レビュー表示が可能な撮像装置も知られている。
特許文献２には、シャッターボタンの全押しに応じた撮影指示信号であるＳＷ２の所定時間後にＳＷ２を押下し続けることで直前に撮影された撮像画像を撮像モードのまま表示して保持し、十分に確認することができる撮像装置が開示されている。
【先行技術文献】
【特許文献】
【０００３】
【特許文献１】特開２０１１−４０８５２号公報
【特許文献２】特開２００１−１８６３８６号公報
【発明の概要】
【発明が解決しようとする課題】
【０００４】
バリアングルモニタ部を開く操作をしたということはユーザーがバリアングルモニタで表示を見たいということであり、自動的に表示を開始するのが望ましいが、バリアングルモニタ部を開くタイミングによってユーザーが見たいものは異なる。そのため、いつも同じ表示ではユーザーが所望する表示内容とはならない場合があるという問題があった。例えば、撮影モードでバリアングルモニタを開いた場合はライブビュー画像を見たいと考えられるが、撮影モードであっても撮影直後に限っては、直前に撮影した画像を確認したいと考えられる。
そこで、本発明の目的は、バリアングルモニタ部を開く操作に対し、タイミングに応じてユーザーが所望する表示内容を表示することを可能にした撮像装置を提供することである。
【課題を解決するための手段】
【０００５】
前記課題を解決するため、本発明は、撮像手段を備えた本体部に対して開閉可能に連結されたモニタ部に備えられた表示手段と、前記モニタ部の前記本体部に対する位置を検知するモニタ位置検知手段と、前記モニタ位置検知手段により、前記モニタ部が、前記表示手段の表示面が前記本体部と対向する閉位置から開いた位置へ変化したことが検知された場合に、直前の撮影からの経過時間が所定時間以上であれば直前に撮影された最新画像を前記表示手段に表示せず、前記直前の撮影からの経過時間が前記所定時間未満である場合は前記最新画像を前記表示手段に表示するように制御する表示制御手段と、を有することを特徴とする。
【発明の効果】
【０００６】
本発明によれば、バリアングルモニタ部を開く操作に対し、タイミングに応じてユーザーが所望する表示内容を表示することが可能になる。
【図面の簡単な説明】
【０００７】
【図１】本発明の実施例におけるデジタルカメラの外観図である。
【図２】本発明の実施例におけるデジタルカメラの構成を示すブロック図である。
【図３】本発明の実施例におけるバリアングルモニタ部の状態と状態検知信号の対応を示した説明図である。
【図４】本発明の実施例１におけるバリアングルモニタ部の状態変化タイミングにより表示内容を制御するフローチャートである。
【図５】本発明の実施例２におけるバリアングルモニタ部の状態変化タイミングにより表示内容を制御するフローチャートである。
【図６】本発明の実施例３におけるバリアングルモニタ部の状態変化タイミングにより表示内容を制御するフローチャートである。
【発明を実施するための形態】
【０００８】
以下、図面を参照して、本発明の好適な実施形態を添付の図面に基づいて詳細に説明する。
図１に、本発明の撮像装置の一例としてのデジタルカメラ１００の外観図を示す。
デジタルカメラ１００は、バリアングルモニタ部１２０を有する。バリアングルモニタ部１２０は、画像や各種情報を表示する表示面１２１を有する表示部１０１を備える。表示部１０１には、たとえは液晶パネル等が適用される。バリアングルモニタ部１２０は、バリアングル機構により、デジタルカメラ１００の本体部１０５に開閉可能な構成を有している。具体的には、バリアングルモニタ部１２０のバリアングル機構は、開閉用回転軸Ａ及び回転用回転軸Ｂを備えたヒンジ部１０２を有する。そして、バリアングルモニタ部１２０は、ヒンジ部１０２を介して、デジタルカメラ１００の本体部１０５に開閉可能に連結されている。バリアングルモニタ部１２０は、開閉用回転軸Ａを中心に回転することにより、本体部１０５に対して開閉可能である。さらにバリアングルモニタ部１２０は、回転用回転軸Ｂを中心に回転することにより、表示部１０１の表示面１２１の向きを反転することができる。
【０００９】
１０２ａ、１０２ｂは、それぞれヒンジ部１０２のセンサ（以下、ＳＷＡ、ＳＷＢと記す）である。ＳＷＡ１０２ａは、バリアングルモニタ部１２０が横方向に（開閉用回転軸Ａ回りに）所定角度以上開閉したことを検知できる。ＳＷＢ１０２ｂは、バリアングルモニタ部１２０が、縦方向に（回転用回転軸Ｂ回りに）所定角度以上回転したことを検知できる。
マグネット１０３とホールＩＣ１０４は、バリアングルモニタ部１２０が、本体部１０５に対して所定角度以上開いたことを検知する。マグネット１０３は、バリアングルモニタ部１２０の内部に配置される。ホールＩＣ１０４は、本体部１０５の内部に配置される。そして、表示部１０１の表示面１２１が本体部１０５に対向するように閉じた状態で、マグネット１０３の近傍にホールＩＣ１０４が配置されるように構成される。
【００１０】
シャッターボタン（レリーズスイッチ）１０６は、操作部１０８に含まれる操作部材である。シャッターボタン１０６は、ユーザーがデジタルカメラ１００に撮影準備指示および撮影指示を行うために使用される。
モードダイアル１０７は、操作部１０８に含まれる操作部材であり、ユーザーがデジタルカメラ１００の動作モードを切り替えるために使用される。
操作部１０８は、ユーザーからの各種操作を受け付ける各種スイッチやボタン等の操作部材より成る操作部である。
【００１１】
接眼ファインダー１０９は、ユーザーが被写体構図を決定するためのファインダーである。
１１０は、接近検知センサである。接近検知センサ１１０は、接眼ファインダー１０９に被検出物体１１１が接近しているか否かを検出する。１１０ａは、接近検知センサ１１０の赤外発光レンズ窓である。１１０ｂは、接近検知センサ１１０の赤外受光レンズ窓である。赤外発光レンズ窓１１０ａが所定の間隔で赤外光を発光し、赤外受光レンズ窓１１０ｂが後述の被検出物体１１１で反射した光を受光する。そして、接近検知センサ１１０は、受光量により、規定位置に後述の被検出物体１１１があるかどうかを検出する。
１１１は、接近検知センサ１１０により検出される被検出物体であり、たとえば、接眼時のユーザーの顔や指などである。
【００１２】
図２は、本実施形態によるデジタルカメラ１００の構成例を示すブロック図である。
撮像素子２０１は、光学像を電気信号に変換するＣＣＤやＣＭＯＳ素子等である。撮像素子２０１は、デジタルカメラ１００の本体部１０５に設けられる。シャッターボタン１０６が押下されると、図示しないレンズなどを介して撮像素子２０１上に被写体の光学像が結像する。そして、撮像素子２０１は、結像した光学像を、アナログ電気信号（画像データ）に変換する。
Ａ／Ｄ変換部２０２は、撮像素子２０１から出力される画像データのアナログ電気信号を、デジタル電気信号に変換する。
画像処理部２０３は、Ａ／Ｄ変換部２０２からの画像データ、又は、後述のメモリ制御部２０４からの画像データに対し、所定の画素補間や縮小といったリサイズ処理、色変換処理を行う。また、画像処理部２０３は、撮像した画像データを用いて所定の演算処理を行う。そして、得られた演算結果に基づいて、後述のシステム制御部２０８が露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。更に画像処理部２０３は、撮像した画像データを用いて所定の演算処理を行い、得られた演算結果に基づいてＴＴＬ方式のＡＷＢ（オートホワイトバランス）処理も行っている。
メモリ制御部２０４は、Ａ／Ｄ変換部２０２、画像処理部２０３、バリアングルモニタ部１２０と、後述のメモリ２０５や外部着脱メモリ２０６との間のデータの送受信を制御する。
メモリ２０５は、撮像素子２０１によって得られＡ／Ｄ変換部２０２によりデジタル電気信号に変換された画像データや、表示部１０１に表示するための画像データを格納する。メモリ２０５は、所定枚数の静止画像や所定時間の動画像および音声を格納するのに十分な記憶容量を備えている。
外部着脱メモリ２０６は、撮影された画像を記録するためのメモリカード等の記憶媒体であり、半導体メモリや磁気ディスク等が適用される。
不揮発性メモリ２０７は、電気的に消去・記録可能なメモリである。不揮発性メモリ２０７には、例えばＥＥＰＲＯＭ等が用いられる。不揮発性メモリ２０７には、後述のシステム制御部２０８の動作用の定数、プログラム等が記憶される。ここでいう、プログラムとは、本実施形態にて後述する各種フローチャートを実行するためのプログラムのことである。
【００１３】
システム制御部２０８は、デジタルカメラ１００全体を制御する。システム制御部２０８は、所定の演算を実行するＣＰＵを有する。そして、システム制御部２０８のＣＰＵが、不揮発性メモリ２０７に記録されたプログラムを読み出して実行することで、後述の本実施形態の各処理を実現する。また、システム制御部２０８は、メモリ２０５や表示部１０１等を制御することにより、表示制御も行う。
システムメモリ２０９には、ＲＡＭが用いられ、システム制御部２０８の動作用の定数、変数、不揮発性メモリ２０７から読み出したプログラム等が展開される。
モードダイアル１０７、後述の第１レリーズスイッチ１０６ａ、第２レリーズスイッチ１０６ｂを含む操作部１０８は、システム制御部２０８に各種の動作指示を入力するための操作部材である。
モードダイアル１０７は、システム制御部２０８の動作モードを静止画記録モード、動画記録モード等のいずれかに切り替えるための操作部材である。静止画記録モードに含まれるモードには、オート撮影モード、オートシーン判別モード、マニュアルモード、撮影シーン別の撮影設定となる各種シーンモード、プログラムＡＥモード、カスタムモード等がある。ユーザーは、モードダイアル１０７を操作することにより、静止画撮影モードに含まれるこれらのモードのいずれかに直接切り替えることができる。または、ユーザーは、モードダイアル１０７を操作して静止画撮影モードに一旦切り換えた後に、さらに他の操作部材を操作することによって静止画撮影モードに含まれるこれらのモードのいずれかに切り替えられるようにしてもよい。同様に、動画撮影モードにも、複数のモードが含まれていてもよい。
【００１４】
第１レリーズスイッチ１０６ａは、デジタルカメラ１００に設けられたシャッターボタン１０６の操作途中（いわゆる半押し（撮影準備指示））でＯＮとなり、第１レリーズスイッチ信号ＳＷ１を発生する。システム制御部２０８等は、第１レリーズスイッチ信号ＳＷ１をトリガーとして、ＡＦ（オートフォーカス）処理、ＡＥ（自動露出）処理、ＡＷＢ（オートホワイトバランス）処理、ＥＦ（フラッシュプリ発光）処理等の動作（撮影準備動作）を開始する。
第２レリーズスイッチ１０６ｂは、シャッターボタン１０６の操作完了（いわゆる全押し（撮影指示））でＯＮとなり、第２レリーズスイッチ信号ＳＷ２を発生する。システム制御部２０８は、第２レリーズスイッチ信号ＳＷ２をトリガーとして、撮像素子２０１からの信号読み出しから外部着脱メモリ２０６に画像データを書き込むまでの一連の撮影処理の動作を開始する。
【００１５】
操作部１０８の各操作部材は、バリアングルモニタ部１２０の表示部１０１に表示される種々の機能アイコンが選択操作されるなどすると、場面ごとに適宜機能が割り当てられる。これにより、操作部１０８の各操作部材は、各種機能ボタンとして作用する。機能ボタンとしては、例えば終了ボタン、戻るボタン、画像送りボタン、ジャンプボタン、絞込みボタン、属性変更ボタン、再生ボタン等がある。例えば、メニューボタンが押されると、システム制御部２０８は、各種の設定可能なメニュー画面を表示部１０１に表示させる。ユーザーは、表示部１０１に表示されたメニュー画面と、上下左右の４方向ボタンやＳＥＴボタンとを用いて、直感的に各種設定を行うことができる。また、ユーザーは、再生ボタンを押下することで、デジタルカメラ１００の動作モードを再生モードへ移行させることができる。再生モードにおいては、ユーザーは、外部着脱メモリ２０６に格納されている撮影済みの画像を、表示部１０１に表示させることができる。
なお、図２においては、モードダイアル１０７とシャッターボタン１０６以外の操作部材（操作部１０８）は省略してある。
【００１６】
バリアングル状態検知部２１０（モニタ位置検知部）は、ＳＷＡ１０２ａと、ＳＷＢ１０２ｂと、マグネット１０３と、ホールＩＣ１０４とから構成される。そして、バリアングル状態検知部２１０は、バリアングルモニタ部１２０の開閉・回転状態を検知する。
カウンタ部２１１は、直前の撮影処理からの経過時間を測定する。
【００１７】
図３は、本実施形態によるバリアングルモニタ部１２０の状態とバリアングル状態検知部２１０の状態検知信号の対応を示した説明図である。
状態３０１は、表示部１０１の表示面１２１（画像が表示される面をいう）を視認できるように、バリアングルモニタ部１２０が閉じた状態である。この状態３０１は、ホールＩＣ信号３０６（ホールＩＣ１０４が出力する信号）がＨｉｇｈ、ＳＷＡ信号３０７（ＳＷＡ１０２ａが出力する信号）がＨｉｇｈ、ＳＷＢ信号３０８（ＳＷＢ１０２ｂが出力する信号）がＬｏｗに対応する。
状態３０２は、表示部１０１の表示面１２１が接眼ファインダー１０９設置側から視認できないように、バリアングルモニタ部１２０が開いた状態である。この状態３０２は、ホールＩＣ信号３０６がＨｉｇｈ、ＳＷＡ信号３０７がＬｏｗ、ＳＷＢ信号３０８がＬｏｗに対応する。
状態３０３は、表示部１０１の表示面１２１が、接眼ファインダー１０９設置側から視認できるように、バリアングルモニタ部１２０が開いた状態である。この状態３０３は、ホールＩＣ信号３０６がＨｉｇｈ、ＳＷＡ信号３０７がＬｏｗ、ＳＷＢ信号３０８がＨｉｇｈに対応する。
状態３０４は、表示部１０１の表示面１２１が、デジタルカメラ１００の本体部１０５の背面と略直角となるように、バリアングルモニタ部１２０が開いた状態であり、状態３０３と後述の状態３０５との中間の状態である。この状態３０４は、ホールＩＣ信号３０６がＨｉｇｈ、ＳＷＡ信号３０７がＨｉｇｈ、ＳＷＢ信号３０８がＨｉｇｈに対応する。
状態３０５は、表示部１０１の表示面１２１が視認できないように、バリアングルモニタ部１２０が閉じた状態である。この状態３０５においては、表示部１０１の表示面１２１がデジタルカメラ１００の本体部１０５に対向している。この状態３０５は、ホールＩＣ信号３０６がＬｏｗ、ＳＷＡ信号３０７がＨｉｇｈ、ＳＷＢ信号３０８がＨｉｇｈに対応する。
以下、前記各状態３０１〜３０５を、以下のように呼称する。
状態３０１：反転閉位置
状態３０２：対面位置
状態３０３：全開位置
状態３０４：半開位置
状態３０５：閉位置
【００１８】
以下、図４〜図６を参照して、本発明の各実施例の動作について説明する。
（実施例１）
実施例１では、バリアングルモニタ部１２０の状態変化のタイミングに応じて表示内容を制御する処理の例を述べる。
図４は、実施例１におけるバリアングルモニタ部１２０の状態変化に応じて表示内容を制御する表示制御処理のフローチャートである。このフローチャートの表示制御処理を実行するためのコンピュータプログラムは、記憶媒体である不揮発性メモリ２０７にあらかじめ格納されている。そして、システム制御部２０８のＣＰＵがこのコンピュータプログラムを不揮発性メモリ２０７から読み出し、システムメモリ２０９に展開して実行する。これにより、このフローチャートに示す表示制御処理が実現される。
【００１９】
Ｓ４０１では、システム制御部２０８は、バリアングルモニタ部１２０が閉位置へ遷移してから半開位置へ遷移するまでの間の撮影回数Ｎを初期化（Ｎ＝０）し、Ｓ４０２へ進む。
Ｓ４０２では、システム制御部２０８は、撮影の有無を判定する。撮影が行われた場合はＳ４０３へ進み、撮影が行われなかった場合はＳ４０５へ進む。
Ｓ４０３では、システム制御部２０８は、バリアングルモニタ部１２０が閉位置へ遷移してから半開位置へ遷移するまでの間の撮影回数Ｎを更新（Ｎ＝Ｎ＋１）し、Ｓ４０４へ進む。
Ｓ４０４では、システム制御部２０８は、シャッターボタン１０６が全押しされて第２レリーズスイッチ１０６ｂがＯＮになってからの経過時間の計時を開始し、Ｓ４０７へ進む。なお、システム制御部２０８は、撮影が行われる度に、経過時間の計時の値をリセットし（０に戻し）、新規に計時を開始するものとする。
Ｓ４０５では、システム制御部２０８は、バリアングルモニタ部１２０が閉位置へ遷移してから半開位置へ遷移するまでの間の撮影回数Ｎが１以上であるか否かを判定する。この間の撮影回数Ｎが１以上である場合はＳ４０６へ進み、この間の撮影回数Ｎが０の場合はＳ４０７へ進む。
Ｓ４０６では、システム制御部２０８は、シャッターボタン１０６が全押しされて第２レリーズスイッチ１０６ｂがＯＮになってからの経過時間の計時を継続し、Ｓ４０７へ進む。
Ｓ４０７では、システム制御部２０８は、バリアングルモニタ部１２０が閉位置から半開位置へ遷移したか否かを判定する。半開位置へ遷移した場合はＳ４０８へ進み、半開位置へ遷移していない場合はＳ４０２へ戻る。
【００２０】
Ｓ４０８では、システム制御部２０８は、次の（１）（２）の両方を充足するか否かを判定する。（１）バリアングルモニタ部１２０が閉位置へ切り替わってから半開位置へ切り替わるまでの間の撮影回数Ｎが１以上である。（２）シャッターボタン１０６が全押しされて第２レリーズスイッチ１０６ｂがＯＮになってからの経過時間が所定時間x未満（所定時間未満）である。所定時間ｘは、ユーザーが直前に撮影を終えてから、撮ったばかりの画像のクイックレビュー表示を見るためにバリアングルモニタ部１２０を開けたと想定できる時間内であるか否かを判定するための時間であり、数秒程度である。これらの（１）（２）の両方を充足する場合はＳ４０９へ進む。これらの（１）（２）の一方でも充足しない場合はＳ４１５へ進む。
【００２１】
Ｓ４０９では、システム制御部２０８は、撮影画像確認設定がＯＮであるか否かを判定する。撮影画像確認とは、表示部１０１が表示可能な状態において撮影後に自動的に撮影済み画像を表示する機能、いわゆるクイックレビュー機能である。ユーザーは、撮影画像確認設定のＯＮ／ＯＦＦを、予めメニューから設定することが可能である。また、ユーザーは、自動的に終了して元に戻るまでの表示時間（レビュー時間）の設定や、表示をホールドに設定することが可能である。撮影画像確認設定がＯＮである場合はＳ４１０へ進み、撮影画像確認設定がＯＮでない場合はＳ４１１へ進む。
【００２２】
Ｓ４１０では、システム制御部２０８は、外部着脱メモリ２０６から最新画像の画像データ（直前に撮影した静止画）を読み出し、表示部１０１に表示させる。ここでは、閉位置においてユーザーが撮像を行ってから、所定時間ｘ未満（所定時間未満）という短い時間でバリアングルモニタ部１２０が開けられている。このため、ユーザーは撮影したばかりの最新画像を確認する目的でバリアングルモニタ部１２０を開けたと想定できる。そしてこのケースでは、クイックレビュー機能がＯＮとなっている。そこでＳ４１０では、システム制御部２０８は、表示部１０１にクイックレビュー機能と類似した表示を行うべく、直前に撮影した最新画像を表示し、表示を継続する時間（表示時間）の計時を開始する。なお、表示部１０１は、閉位置においては表示がＯＦＦであるため、閉位置の場合にはクイックレビュー表示は行わない。また、表示部１０１が閉位置以外の場合は、システム制御部２０８は、撮影が行われ、表示するための処理が完了すると、直ちにクイックレビュー表示を開始する。これに対して、Ｓ４１０での表示は、撮影後直ちに行われる表示ではない。撮影直後には表示部１０１が閉位置であるため何の表示も行わない。、所定時間ｘ未満に表示部１０１が開かれたために、表示部１０１が開かれた時点から表示が開始される確認表示である。そういう意味で、通常のクイックレビュー機能とは異なる。
【００２３】
Ｓ４１１では、システム制御部２０８は、デジタルカメラ１００の動作モードを再生モードに移行させ、表示部１０１に画像を再生表示させる。最後に再生モードだった時以降に新たな画像が撮影されていれば、再生モードで初期表示される画像は、レジューム画像ではなく最新画像となる。ここではＮが１以上であるケースであるため、最後に撮影された最新画像が再生モードで表示される。そのためユーザーは、撮影したばかりの最新画像を確認することができる。再生モードでは、ユーザーは操作部１０８を操作することにより、画像送りや拡大、縮小、サムネイル表示の切替等を行うことができる。
【００２４】
Ｓ４１２では、システム制御部２０８は、Ｓ４１０で表示開始した確認表示を終了する終了条件が満たされた否かを判定する。終了条件は、直前に撮影した静止画の表示開始から予め設定した時間が経過した場合、あるいはシャッターボタン１０６が半押しされて第１レリーズスイッチ１０６ａがＯＮとなった場合のいずれかの場合である。直前に撮影した静止画の表示開始から予め設定した時間は、あらかじめ設定された数秒程度の時間であっても良い。なお、ユーザーの好みが反映されているクイックレビュー表示用に設定されたレビュー時間であるとなお良い。終了条件が満たされていない場合は確認表示を継続してＳ４１３に進み、終了条件が満たされた場合はＳ４１４に進む。
【００２５】
Ｓ４１３では、システム制御部２０８は、表示部１０１が半開位置から閉位置へ遷移したか否かを判定する。閉位置へ遷移した場合はＳ４１９へ進み、閉位置へ遷移していない場合はＳ４１２へ戻る。
Ｓ４１４では、システム制御部２０８は、確認表示中にバリアングルモニタ部１２０が半開位置から全開位置へ遷移したか否かを判定する。すなわち、Ｓ４１０の確認表示の途中で全開位置に遷移したとしても、システム制御部２０８は確認表示を継続する。そして、システム制御部２０８は、確認表示の終了条件を満たした後に何を表示すべきかを判定すべく、Ｓ４１４の判定を行う。全開位置へ遷移していた場合はＳ４１７へ進む。一方、全開位置へ遷移していない場合、すなわち半開位置のままであった場合はＳ４１５へ進む。
Ｓ４１５では、システム制御部２０８は、表示部１０１にメニュー画面を表示させる。この状態では、ユーザーは、撮影モードの動作制御を行うことができる。例えば、ユーザーは、操作部１０８を操作することによりシャッター速度や絞りの値等を変更することができる。
Ｓ４１６では、システム制御部２０８は、バリアングルモニタ部１２０が半開位置から全開位置へ遷移したか否かを判定する。全開位置へ遷移した場合はＳ４１７へ進み、全開位置へ遷移していない場合はＳ４１８へ進む。
Ｓ４１７では、システム制御部２０８は、表示部１０１に撮像素子２０１で撮像された画像をほぼリアルタイムに逐次更新して表示するライブビュー表示を行う（スルー表示ともいう）。ミラーダウンされていた場合には、システム制御部２０８は、ミラーアップを行って撮像素子２０１に被写体光を当てることでライブビュー表示を開始する。ライブビュー表示後は撮影待機状態となる。この状態では、ユーザーは、撮影モードの各種動作制御を行うことができる。
Ｓ４１８では、システム制御部２０８は、バリアングルモニタ部１２０が半開位置から閉位置へ遷移したか否かを判定する。閉位置へ遷移した場合はＳ４１９へ進み、閉位置へ遷移していない場合はＳ４１６へ戻る。
Ｓ４１９では、システム制御部２０８は、表示部１０１の表示を消灯する。具体的には、バックライトを消灯するとともに表示部１０１を非表示とする。そして、閉位置での処理の最初のＳ４０１に進む。
Ｓ４２０では、システム制御部２０８は、バリアングルモニタ部１２０が閉位置に遷移したか否かを判定する。閉位置に遷移したと判定した場合には、閉位置での処理の最初のＳ４０１に進む。閉位置に遷移していない場合は、Ｓ４２１に進む。
Ｓ４２１では、閉位置以外の状態における各種処理を行う。これらの各種処理の詳細は省略する。
Ｓ４２２では、システム制御部２０８は、電源をＯＦＦとする操作などの、終了操作が行われたか否かを判定する。終了操作が行われていない場合にはＳ４２０に戻り、終了操作があった場合には本処理を終了する。
【００２６】
実施例１によればバリアングルモニタ部１２０が閉位置であった場合（すなわち表示部１０１が視認できない非使用状態）から開かれた場合に、システム制御部２０８は、以下の制御を行う。
直前の撮影から所定時間ｘ未満（所定時間未満）にバリアングルモニタ部１２０が開かれた場合：システム制御部２０８は、直前に撮影された画像を表示部１０１に表示する。この際、クイックレビュー機能の設定がＯＮであった場合には、システム制御部２０８は、予め定められた表示時間をもって直前に撮影された画像の表示を自動的に終了する。クイックレビュー機能の設定がＯＦＦであった場合には、システム制御部２０８は、再生モードでの表示として直前に撮影された画像を表示する。
直前の撮影から所定時間ｘ以上（所定時間以上）経過してからバリアングルモニタ部１２０が開かれた場合：ユーザーがバリアングルモニタ部１２０を開いた目的は直前に撮影した画像の確認では無いと想定できる。そこで、システム制御部２０８は、まずは、撮影に関する設定を行うためのメニュー画面（撮影設定メニュー画面）を表示する。ユーザーは、撮影設定メニュー画面を確認しながら、操作部１０８を操作することによって、撮影条件（たとえば、シャッタースピードや絞りなど）を設定することができる。ユーザーがバリアングルモニタ部１２０を更に開いて全開位置にした場合には、ユーザーがバリアングルモニタ部１２０を開いた目的はライブビュー表示の起動であると想定される。そこでこの場合には、システム制御部２０８は、ライブビュー表示を行う。
このように、本実施例によれば、ユーザーがバリアングルモニタ部１２０を開く操作のタイミングに応じて、ユーザーが所望する表示内容を表示することが可能になる。
【００２７】
なお、上述の例では、Ｓ４１５において撮影設定メニュー画面を表示する例を説明したが、撮影設定メニュー画面は表示せずにライブビュー表示を行ってもよい。このようにすることで、ユーザーは、閉位置で撮影を行って所定時間ｘ未満にバリアングルモニタ部１２０を開くと、直前に撮影した画像を確認できる。一方、所定時間ｘ以上経過してからバリアングルモニタ部１２０を開いた場合（半開位置、全開位置、対面位置を含む）には、ユーザーがバリアングルモニタ部１２０を開いた目的はライブビュー表示を行うためと想定される。そこでこの場合には、システム制御部２０８は、ライブビュー表示を自動的に開始する。
また、上述の例では、Ｓ４１５において撮影設定メニュー画面を表示する例を説明したが、ユーザーの操作があるまで何も表示しないようにしてもよい。すなわち、ユーザーは、閉位置で撮影を行って所定時間ｘ未満でバリアングルモニタ部１２０を開くと、直前に撮影した画像を確認できる。一方、所定時間ｘ以上経過してからバリアングルモニタ部１２０を開いた場合（半開位置、全開位置、対面位置を含む）には、ユーザーがバリアングルモニタ部１２０を開いた目的は直前の撮影画像の確認が目的ではないと想定される。そのため、システム制御部２０８は、表示部１０１に特に何も表示させない。その後、ユーザーによる撮影設定メニュー画面を表示させるための操作や、ライブビュー画像を表示させるための操作があった場合に、システム制御部２０８は、その操作に応じた表示を表示部１０１に行わせるようにしてもよい。
【００２８】
（実施例２）
実施例２では、被検出物体１１１が接近除するタイミングを直前の撮影タイミングの基準とする例を述べる。
図５は、実施例２におけるバリアングルモニタ部１２０の状態変化タイミングに応じた表示内容を制御する表示制御処理のフローチャートである。このフローチャートに示す表示制御処理を実行するためのコンピュータプログラムは、記憶媒体である不揮発性メモリ２０７にあらかじめ格納されている。そして、システム制御部２０８は、不揮発性メモリ２０７に格納されたこのコンピュータプログラムを読み出し、システムメモリ２０９に展開して実行する。これにより、このフローチャートに示す表示制御処理が実現される。
なお、図５のＳ５０１、Ｓ５０３、Ｓ５１０〜Ｓ５２３は、実施例１で説明した図４のＳ４０１、Ｓ４０３、Ｓ４０９〜Ｓ４２２と同様の処理なので説明を省略する。
【００２９】
Ｓ５０２では、システム制御部２０８は、撮影の有無を判定する。撮影が行われた場合はＳ５０３へ進み、撮影が行われなかった場合はＳ５０４へ進む。
Ｓ５０４では、システム制御部２０８は、被検出物体１１１の接近が解除されたか否かを判定する。被検出物体１１１の近接が解除された場合Ｓ５０５へ進み、被検出物体１１１の接近が解除されない場合Ｓ５０２へ戻る。
Ｓ５０５では、システム制御部２０８は、被検出物体１１１の接近が解除されてからの経過時間の計時を開始し、Ｓ５０６へ進む
Ｓ５０６では、システム制御部２０８は、バリアングルモニタ部１２０が閉位置から半開位置へ遷移したか否かを判定する。半開位置へ遷移した場合はＳ５０９へ進み、半開位置へ遷移していない場合はＳ５０７へ進む。
Ｓ５０７では、システム制御部２０８は、被検出物体１１１が再度接近したか否かを判定する。接近した場合はＳ５０８へ進み、接近しなかった場合はＳ５０６へ戻る。
Ｓ５０８では、システム制御部２０８は、被検出物体１１１の接近が解除されてからの経過時間をリセットし（０に戻し）、Ｓ５０１へ戻る。
Ｓ５０９では、システム制御部２０８は、次の（１）（２）の条件の両方を充足するか否かを判定する。（１）バリアングルモニタ部１２０が閉位置へ遷移してから半開位置へ遷移するまでの間の撮影回数Ｎが１以上である。（２）被検出物体１１１の近接解除からの経過時間が所定時間x未満である。この所定時間ｘは、実施例１と同じである。これらの（１）（２）の両方を充足する場合はＳ５１０へ進む。これらの（１）（２）の一方でも充足しない場合はＳ５１６へ進む。
以上のように、実施例２によれば、ユーザーが接眼ファインダー１０９から離眼したタイミングを直前の撮影タイミングの基準とし、表示内容の制御を行うことが可能になる。
【００３０】
（実施例３）
実施例３では、露光終了時を直前の撮影タイミングの基準とする例を述べる。
図６は、実施例３における表示部１０１の状態の変化のタイミングに基づいて表示内容を制御する表示制御処理のフローチャートである。このフローチャートの表示制御処理を実行するためのコンピュータプログラムは、記憶媒体である不揮発性メモリ２０７にあらかじめ格納されている。そして、システム制御部２０８が不揮発性メモリ２０７に格納されたこのコンピュータプログラムを読み出し、システムメモリ２０９に展開して実行する。これにより、この表示制御処理が実現される。
なお、図６のＳ６０１〜Ｓ６０３、Ｓ６０５、Ｓ６０７、Ｓ６０９〜Ｓ６２２は、実施例１で説明した図４のＳ４０１〜Ｓ４０３、Ｓ４０５、Ｓ４０７、Ｓ４０９〜Ｓ４２２と同様の処理なので説明を省略する。
Ｓ６０４では、システム制御部２０８は、露光終了からの経過時間の計時を開始し、Ｓ６０７へ進む。なお、システム制御部２０８は、撮影を行う度にこの計時の値をリセットし（０に戻し）、新規に計時を開始するものとする。
Ｓ６０６では、システム制御部２０８は、露光終了からの経過時間の計時を継続し、Ｓ６０７へ進む。
Ｓ６０８では、システム制御部２０８は、次の（１）（２）の両方を充足するか否かを判定する。（１）バリアングルモニタ部１２０が閉位置へ遷移してから半開位置へ遷移するまでの間の撮影回数Ｎが１以上である。（２）露光終了からの経過時間が所定時間x未満である。これらの（１）（２）の両方を充足する場合はＳ６０９へ進む。これらの（１）（２）の一方でも充足しない場合はＳ６１５へ進む。
以上のように、実施例３によれば撮影終了時を撮影タイミングの基準とし、表示内容の制御を行うことが可能になる。
【００３１】
以上、本発明の好ましい実施形態について説明したが、本発明はこれらの実施形態に限定されず、その要旨の範囲内で種々の変形及び変更が可能である。なお、上述の各実施形態において、デジタルカメラ１００が三脚に備え付けられていると判定できる場合には、異なる表示遷移を行うようにしても良い。例えば、上記各実施形態における所定時間ｘを超えたタイミングでバリアングルモニタ部１２０が閉位置から前開位置になった場合に撮影画面を表示する代わりに、三脚に備えられていると判定された場合は水準器及び／又はグリッドラインを表示する。撮影画面とともに表示してもよい。三脚に備え付けられているか否かは、三脚に接続されたことを検知するか、加速度センサで静止していることを検知したことによって判定する。また、対面位置と反転閉位置の中間の位置（すなわち、半開位置と表示面の裏表が逆の位置。裏半開位置と呼ぶものとする）の検知に応じた処理を行っても良い。例えば、表示部１０１にライブビューが表示されていない場合に、所定時間以内に、対面位置から逆半開位置に移動し、さらに逆半開位置から対面位置に移動したことを検知したことに応じてライブビューを表示するようにしてもよい。このようにすることで、被写体側（対面位置で表示部１０１の表示面を視認できる側）からでも、バリアングルモニタ部１２０を操作して簡単にライブビュー表示を開始させることができる。
【００３２】
なお、システム制御部２０８の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した実施形態は本発明の一実施形態を示すものにすぎず、各実施形態を適宜組み合わせることも可能である。
また、上述した実施形態においては、本発明をデジタルカメラに適用した場合を例にして説明したが、これはこの例に限定されない。本発明は、バリアングルモニタ部を有する撮像装置であれば適用可能である。
【００３３】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014230084.tif 000003
【図２】
2014230084.tif 000004
【図３】
2014230084.tif 000005
【図４】
2014230084.tif 000006
【図５】
2014230084.tif 000007
【図６】
2014230084.tif 000008